(57)【要約】【課題】通信システムの移行を伴う通信処理の終了後に、適切な通信システムを選択できる無線端末装置及びその制御方法を提供すること。【解決手段】携帯電話機１は、ＬＴＥシステムで位置登録している基地局に関するＬＴＥ基地局情報を記憶する記憶部６０と、ＬＴＥシステムでデータ通信中に、３Ｇシステムでの通信要求が生じた場合、ＬＴＥシステムでのデータ通信を中断し、３Ｇシステムでの通信へ移行する第１の移行処理部３１と、３Ｇシステムでの通信が終了すると、記憶部６０に記憶されているＬＴＥ基地局情報に基づいて、ＬＴＥシステムを捕捉してＬＴＥシステムでの通信へ移行する第２の移行処理部３２と、を備える。【選択図】図２
2012175643.tif 000002
【特許請求の範囲】
【請求項１】
複数の通信システムのいずれかを選択して無線通信する無線端末装置であって、
第１の通信システムで位置登録している基地局に関する第１の基地局情報を記憶する記憶部と、
前記第１の通信システムでデータ通信中に、第２の通信システムでの通信要求が生じた場合、前記第１の通信システムでのデータ通信を中断し、当該第２の通信システムでの通信へ移行する第１の移行処理部と、
前記第２の通信システムでの通信が終了すると、前記記憶部に記憶されている前記第１の基地局情報に基づいて、前記第１の通信システムを捕捉して当該第１の通信システムでの通信へ移行する第２の移行処理部と、を備える無線端末装置。
【請求項２】
前記第１の通信システムは、前記第２の通信システムよりも高速なデータ通信をサポートし、
前記第２の通信システムは、データ通信に加えて音声通信もサポートし、
前記通信要求とは、音声通信開始のイベントの発生である請求項１に記載の無線端末装置。
【請求項３】
前記イベントの発生とは、自装置に対する音声着信の発生である請求項２に記載の無線端末装置。
【請求項４】
前記第１の通信システムはＣＤＭＡ方式、前記第２の通信システムはＬＴＥ方式であり、
前記音声着信の発生により、３ＧＰＰにて規定されているＣＳ−Ｆａｌｌｂａｃｋが行われる請求項３に記載の無線端末装置。
【請求項５】
前記記憶部は、前記第２の通信システムでの通信へ移行した際に、位置登録した基地局に関する第２の基地局情報をさらに記憶し、
前記第２の移行処理部は、前記第２の通信システムでの通信が終了後、前記第１の通信システムで中断されたデータ通信が前記第２の通信システムで再開されたとき、当該データ通信が再開されたときの基地局情報が前記記憶部に記憶されている前記第２の基地局情報と一致した場合、前記記憶部に記憶されている前記第１の基地局情報に基づいて、前記第１の通信システムを捕捉して当該第１の通信システムでの通信へ移行する請求項１から請求項４のいずれか１項に記載の無線端末装置。
【請求項６】
前記記憶部は、前記第２の通信システムでの通信へ移行した際に、位置登録した基地局に関する第２の基地局情報をさらに記憶し、
前記第２の移行処理部は、前記第２の通信システムでの通信が終了後、前記第１の通信システムで中断されたデータ通信が前記第２の通信システムで再開されずに所定時間が経過したとき、現在位置登録している基地局の基地局情報が前記記憶部に記憶されている前記第２の基地局情報と一致した場合、前記記憶部に記憶されている前記第１の基地局情報に基づいて、前記第１の通信システムを捕捉して当該第１の通信システムでの通信へ移行する請求項１から請求項４のいずれか１項に記載の無線端末装置。
【請求項７】
前記記憶部は、前記第１の通信システムで位置登録する度に、当該位置登録した最新の基地局情報を前記第１の基地局情報として記憶する請求項１から請求項６のいずれか１項に記載の無線端末装置。
【請求項８】
複数の通信システムのいずれかを選択して無線通信する無線端末装置の制御方法であって、
第１の通信システムで位置登録している基地局に関する第１の基地局情報を記憶する記憶ステップと、
前記第１の通信システムでデータ通信中に、第２の通信システムでの通信要求が生じた場合、前記第１の通信システムでのデータ通信を中断し、当該第２の通信システムでの通信へ移行する第１の移行処理ステップと、
前記第２の通信システムでの通信が終了すると、前記記憶ステップで記憶されている前記第１の基地局情報に基づいて、前記第１の通信システムを捕捉して当該第１の通信システムでの通信へ移行する第２の移行処理ステップと、を含む制御方法。
【発明の詳細な説明】
【技術分野】
【０００１】
本発明は、複数の通信システムのいずれかを選択して無線通信する無線端末装置及びその制御方法に関する。
【背景技術】
【０００２】
近年、携帯電話機等の無線端末装置が利用する通信システムとして、音声及びデータ通信に用いられる回線交換（ＣＳ：Ｃｉｒｃｕｉｔ  Ｓｗｉｔｃｈｅｄ）方式（例えば、ＣＤＭＡ２０００＿１ｘやＷ−ＣＤＭＡ）の３Ｇシステムに加えて、主に高速データ通信に用いられるＬＴＥ（Ｌｏｎｇ  Ｔｅｒｍ  Ｅｖｏｌｕｔｉｏｎ）方式のＬＴＥシステムが登場している。
【０００３】
また、ＬＴＥシステムにおいては、当初は音声通信がサポートされないため、音声通信は３Ｇシステムを使用する必要がある。ところが、無線端末装置では、ＬＴＥシステムと３Ｇシステムとの双方を同時に利用することができない。そのため、無線端末装置は、ＬＴＥシステムを利用中に、３Ｇシステムのページングチャネルを取得できず、着信の有無を知ることができなかった。そこで、３ＧＰＰ  ＴＳ  ２３．２７２において、ＣＳ−Ｆａｌｌｂａｃｋ機能が規定され、この機能により、ＬＴＥシステムで３Ｇシステムからの着信要求を通知することができる（例えば、非特許文献１参照）。
【先行技術文献】
【非特許文献】
【０００４】
【非特許文献１】３ＧＰＰ  ＴＳ  ２３．２７２  Ｖ１０．２．１，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１１−０１
【発明の概要】
【発明が解決しようとする課題】
【０００５】
無線端末装置は、例えば、ストリーミング再生やＷｅｂページの更新中等、実データパケットをサーバから受信している途中に音声着信が生じると、ＣＳ−Ｆａｌｌｂａｃｋ機能により、実データパケットの受信を中断し、着信通知をＬＴＥシステムから受信する。無線端末装置がこの着信通知に応答すると、ＬＴＥシステムとの通信を切断して３Ｇシステムへ移行後に音声通信が開始される。そして、音声通信が終了すると、即時、中断していた実データパケットの続きがサーバから送信される。ところが、このとき、３Ｇシステムのネットワークに割り当てられているため、無線端末装置は、実データパケットを３Ｇシステムで受信することになり、高速のＬＴＥシステムに比べてスループットが低下していた。
【０００６】
さらに、３ＧシステムからＬＴＥシステムへハンドオーバできない環境下では、一旦３Ｇシステムへハンドオーバしてしまうと、３Ｇシステムのロストやユーザによる切断が発生しなければ、ＬＴＥシステムで通信を行うことができなかった。
【０００７】
本発明は、通信システムの移行を伴う通信処理の終了後に、適切な通信システムを選択できる無線端末装置及びその制御方法を提供することを目的とする。
【課題を解決するための手段】
【０００８】
本発明に係る無線端末装置は、複数の通信システムのいずれかを選択して無線通信する無線端末装置であって、第１の通信システムで位置登録している基地局に関する第１の基地局情報を記憶する記憶部と、前記第１の通信システムでデータ通信中に、第２の通信システムでの通信要求が生じた場合、前記第１の通信システムでのデータ通信を中断し、当該第２の通信システムでの通信へ移行する第１の移行処理部と、前記第２の通信システムでの通信が終了すると、前記記憶部に記憶されている前記第１の基地局情報に基づいて、前記第１の通信システムを捕捉して当該第１の通信システムでの通信へ移行する第２の移行処理部と、を備える。
【０００９】
また、前記第１の通信システムは、前記第２の通信システムよりも高速なデータ通信をサポートし、前記第２の通信システムは、データ通信に加えて音声通信もサポートし、前記通信要求とは、音声通信開始のイベントの発生であることが好ましい。
【００１０】
また、前記イベントの発生とは、自装置に対する音声着信の発生であることが好ましい。
【００１１】
また、前記第１の通信システムはＣＤＭＡ方式、前記第２の通信システムはＬＴＥ方式であり、前記音声着信の発生により、３ＧＰＰにて規定されているＣＳ−Ｆａｌｌｂａｃｋが行われることが好ましい。
【００１２】
また、前記記憶部は、前記第２の通信システムでの通信へ移行した際に、位置登録した基地局に関する第２の基地局情報をさらに記憶し、前記第２の移行処理部は、前記第２の通信システムでの通信が終了後、前記第１の通信システムで中断されたデータ通信が前記第２の通信システムで再開されたとき、当該データ通信が再開されたときの基地局情報が前記記憶部に記憶されている前記第２の基地局情報と一致した場合、前記記憶部に記憶されている前記第１の基地局情報に基づいて、前記第１の通信システムを捕捉して当該第１の通信システムでの通信へ移行することが好ましい。
【００１３】
また、前記記憶部は、前記第２の通信システムでの通信へ移行した際に、位置登録した基地局に関する第２の基地局情報をさらに記憶し、前記第２の移行処理部は、前記第２の通信システムでの通信が終了後、前記第１の通信システムで中断されたデータ通信が前記第２の通信システムで再開されずに所定時間が経過したとき、現在位置登録している基地局の基地局情報が前記記憶部に記憶されている前記第２の基地局情報と一致した場合、前記記憶部に記憶されている前記第１の基地局情報に基づいて、前記第１の通信システムを捕捉して当該第１の通信システムでの通信へ移行することが好ましい。
【００１４】
また、前記記憶部は、前記第１の通信システムで位置登録する度に、当該位置登録した最新の基地局情報を前記第１の基地局情報として記憶することが好ましい。
【００１５】
本発明に係る制御方法は、複数の通信システムのいずれかを選択して無線通信する無線端末装置の制御方法であって、第１の通信システムで位置登録している基地局に関する第１の基地局情報を記憶する記憶ステップと、前記第１の通信システムでデータ通信中に、第２の通信システムでの通信要求が生じた場合、前記第１の通信システムでのデータ通信を中断し、当該第２の通信システムでの通信へ移行する第１の移行処理ステップと、前記第２の通信システムでの通信が終了すると、前記記憶ステップで記憶されている前記第１の基地局情報に基づいて、前記第１の通信システムを捕捉して当該第１の通信システムでの通信へ移行する第２の移行処理ステップと、を含む。
【発明の効果】
【００１６】
本発明によれば、無線端末装置において、通信システムの移行を伴う通信処理の終了後に、適切な通信システムを選択できる。
【図面の簡単な説明】
【００１７】
【図１】本発明の実施形態に係る携帯電話機の外観斜視図である。
【図２】本発明の実施形態に係る携帯電話機の機能を示すブロック図である。
【図３】本発明の実施形態に係る連携位置登録の手順を示す図である。
【図４】本発明の実施形態に係るＬＴＥシステムから３Ｇシステムへネットワークが切り替わる様子を示す図である。
【図５】本発明の実施形態に係る制御部における処理を示すフローチャートである。
【発明を実施するための形態】
【００１８】
以下、本発明の好適な実施形態の一例について説明する。なお、本実施形態では、無線端末装置の一例として携帯電話機１を説明する。
【００１９】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００２０】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２１】
また、表示部側筐体３は、表面部２０に、各種情報を表示するための表示部２１と、通話の相手側の音声を出力するレシーバ２２と、を備えて構成されている。
【００２２】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２３】
図２は、本実施形態に係る携帯電話機１の機能を示すブロック図である。
携帯電話機１は、操作部１１と、表示部２１と、制御部３０と、通信部４０と、音声制御部５０と、記憶部６０とを備える。
【００２４】
制御部３０は、携帯電話機１の全体を制御しており、例えば、表示部２１、通信部４０等の各部に対して所定の制御を行う。また、制御部３０は、操作部１１や通信部４０等から入力を受け付けて、各種処理を実行する。そして、制御部３０は、処理実行の際には、記憶部６０を制御し、各種プログラム及びデータの読み出し、及びデータの書き込みを行う。なお、本実施形態に係る制御部３０の詳細機能は後述する。
【００２５】
通信部４０は、所定の使用周波数帯（例えば、２ＧＨｚ帯や８００ＭＨｚ帯等）で外部装置（基地局）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
【００２６】
ここで、通信部４０は、本実施形態においては、音声及びデータ通信用の通信プロトコルであるＷ−ＣＤＭＡやＣＤＭＡ２０００＿１ｘ等の３Ｇ方式と、主に高速データ通信に用いられる通信プロトコルであるＬＴＥ方式との双方に対応しており、いずれのプロトコルの通信システムでも通信可能である。通信部４０は、制御部３０からの指令に基づいて、いずれかのプロトコルにより基地局と通信を行う。なお、携帯電話機１は、データ通信時にはＬＴＥ方式によるＬＴＥシステム（第１の通信システム）での通信を優先し、音声通話時には、３Ｇ方式による３Ｇシステム（第２の通信システム）での通信へ切り替えるものとする。
【００２７】
音声制御部５０は、制御部３０の制御に従って、通信部４０から供給された信号に対して所定の音声処理を行い、処理後の信号をレシーバ２２に出力する。レシーバ２２は、音声制御部５０から供給された信号を外部に出力する。なお、この信号は、レシーバ２２に代えて、又はレシーバ２２と共に、スピーカ（図示せず）から出力されるとしてもよい。また、音声制御部５０は、制御部３０の制御に従って、マイク１２から入力された信号を処理し、処理後の信号を通信部４０に出力する。通信部４０は、音声制御部５０から供給された信号に所定の処理を行い、処理後の信号をアンテナより出力する。
【００２８】
記憶部６０は、例えば、ワーキングメモリを含み、制御部３０による演算処理に利用される。また、本実施形態に係る各種プログラム等を記憶する。
さらに、記憶部６０は、ＬＴＥシステムで位置登録している基地局に関するＬＴＥ基地局情報（第１の基地局情報）を記憶する。具体的には、ＬＴＥシステムで位置登録する度に、この位置登録した最新の基地局情報が記憶されることとしてよい。また、記憶部６０は、ＬＴＥシステムでの通信から３Ｇシステムでの通信へ移行した際に、位置登録した基地局に関する３Ｇ基地局情報（第２の基地局情報）を、ＬＴＥ基地局情報と対応付けてさらに記憶する。
【００２９】
ここで、ＬＴＥ基地局情報は、基地局から報知されるシステムインフォメーション情報（バンドクラス、周波数チャネル、キャリア識別情報等）、位置登録情報、ＩＰアドレス情報等を含む。また、３Ｇ基地局情報は、基地局から報知されるシステムパラメータメッセージから取得される。
【００３０】
次に制御部３０の機能を詳述する。
携帯電話機１の制御部３０と各通信システムの制御装置とは、ＬＴＥシステムにおいて３Ｇシステムの着信を通知するために、ＣＳ−Ｆａｌｌｂａｃｋ機能を有している。
【００３１】
ここで、ＣＳ−Ｆａｌｌｂａｃｋ機能を実現するためには、ＬＴＥシステムで待ち受け中の端末が３Ｇシステムにおいて物理的にどの呼出ゾーンにあるかを知る必要がある。そこで、ＬＴＥシステムの制御装置であるＭＭＥ（Ｍｏｂｉｌｉｔｙ  Ｍａｎａｇｅｍｅｎｔ  Ｅｎｔｉｔｙ）は、ＬＴＥシステムと３Ｇシステムとの物理的な呼出ゾーンの重なりの対応関係を示すマッピングデータを記憶している。
【００３２】
そして、携帯電話機１の制御部３０がＬＴＥシステムで位置登録要求を行った際に、ＭＭＥは、ＬＴＥシステムの呼出ゾーンと重なるエリアを有する３Ｇシステムの呼出ゾーンをマッピングデータから取得し、この３Ｇシステムの呼出ゾーンに対して位置登録要求を行う。３Ｇシステムは、ＬＴＥシステムから位置登録要求を受信すると、位置登録情報を更新し、ＬＴＥシステムへ応答を返信する。このように、携帯電話機１は、ＬＴＥシステムにおける呼出ゾーンに対して位置登録した際に、このＬＴＥシステムの呼出ゾーンに対応する３Ｇシステムの呼出ゾーンに対しても、ＭＭＥにより位置登録（連携位置登録）される。
【００３３】
図３は、本実施形態に係る連携位置登録の手順を示す図である。
ＬＴＥシステムの制御装置であるＭＭＥは、３つの呼出ゾーン（ＴＡ１、ＴＡ２、ＴＡ３）を管理している。また、３Ｇシステムの制御装置であるＭＳＣ（Ｍｏｂｉｌｅ  Ｓｗｉｔｃｈｉｎｇ  Ｃｅｎｔｅｒ）／ＶＬＲ（Ｖｉｓｉｔｅｄ  Ｌｏｃａｔｉｏｎ  Ｒｅｇｉｓｔｅｒ）＃１と、ＭＳＣ／ＶＬＲ＃２とは、それぞれ呼出ゾーンＬＡ１とＬＡ２とを管理している。
【００３４】
そして、ＭＭＥは、マッピングデータとして、ＴＡ１とＬＡ１との対応関係、並びにＴＡ２及びＴＡ３とＬＡ２との対応関係をマッピング表に記憶している。
【００３５】
まず、ＬＴＥシステムの呼出ゾーンＴＡ３に位置している携帯電話機１の制御部３０がＭＭＥに対して位置登録処理を行う（１）。すると、ＭＭＥは、マッピング表から、呼出ゾーンＴＡ３と物理的に重なっている３Ｇシステムの呼出ゾーンＬＡ２を割り出す（２）。そして、ＭＭＥは、呼出ゾーンＬＡ２を管理しているＭＳＣ／ＶＬＲ＃２に対して位置登録要求を行う（３）。この要求を受けたＭＳＣ／ＶＬＲ＃２は、位置登録処理を行い、携帯電話機１がＬＴＥシステムの呼出ゾーンＴＡ３に位置していることを記憶する。
【００３６】
この連携位置登録がされたことにより、３Ｇシステムでの着信がＭＳＣ／ＶＬＲ＃２に通知され、さらに、ＭＳＣ／ＶＬＲ＃２からＭＭＥに対して着信通知が行われる。
【００３７】
また、制御部３０は、第１の移行処理部３１と、第２の移行処理部３２とを備え、所定の条件に従って通信を行う通信システムを選択し、移行させる。
【００３８】
第１の移行処理部３１は、ＬＴＥシステムでデータ通信中に、３Ｇシステムでの通信要求が生じた場合、ＬＴＥシステムでのデータ通信を中断し、３Ｇシステムでの通信へ移行する。
【００３９】
具体的には、第１の移行処理部３１は、例えば、ＣＳ−Ｆａｌｌｂａｃｋ機能により３Ｇシステムの着信通知パケットを受信した場合、ＬＴＥシステムから３Ｇシステムへハンドオーバして応答処理を行う。また、例えば、ＬＴＥ通信によりＷｅｂページ閲覧中にＰｈｏｎｅ  ｔｏ機能を使用した場合や、ＬＴＥ通信中にマルチタスクで音声発呼を要求した場合等にも、第１の移行処理部３１は、ＬＴＥシステムでのデータ通信を中断して３Ｇシステムでの音声発呼処理へ移行する。
【００４０】
図４は、本実施形態に係るＣＳ−Ｆａｌｌｂａｃｋ機能に基づいて、ＬＴＥシステムから３Ｇシステムへネットワークが切り替わる様子を示す図である。
【００４１】
３Ｇシステムにおける発信元ＭＳＣから、携帯電話機１が連携位置登録されているＭＳＣ／ＶＬＲへ音声着信があると（１）、記憶されている携帯電話機１の位置登録情報により対応するＬＴＥシステムのＭＭＥが特定され（２）、特定されたＭＭＥが一斉呼出しを受ける（３）。
【００４２】
ＭＭＥは、携帯電話機１に対して着信通知の一斉呼出しを行い（４）、回線交換サービスの要求を受けると（５）、携帯電話機１に対して３Ｇシステムへのハンドオーバを命令する（６）。
【００４３】
携帯電話機１は、３Ｇシステムを捕捉すると、ＬＴＥシステムから３Ｇシステムへハンドオーバした後（７）、一斉呼出しに対する応答をＭＳＣ／ＶＬＲへ返信し（８）、音声通信の接続を確立する（９）。
【００４４】
このとき、ＬＴＥのパケット交換機であるＳ−ＧＷ（Ｓｅｒｖｉｎｇ  Ｇａｔｅｗａｙ）からのパケット通信伝達経路は、３Ｇの加入者パケット交換機であるＳＧＳＮ（Ｓｅｒｖｉｎｇ  ＧＰＲＳ  Ｓｕｐｐｏｒｔ  Ｎｏｄｅ）を介した３Ｇシステムのネットワークへ切り替わる。
【００４５】
第２の移行処理部３２は、第１の移行処理部３１により移行した３Ｇシステムでの通信が終了すると、記憶部６０に記憶されているＬＴＥ基地局情報に基づいてＬＴＥシステムを捕捉して、このシステムでの通信へ移行する。
【００４６】
具体的には、第２の移行処理部３２は、３Ｇシステムでの通信が終了後、ＬＴＥシステムで中断されたデータ通信が３Ｇシステムで再開されたとき、このデータ通信が再開されたときの３Ｇ基地局情報を取得する。そして、第２の移行処理部３２は、取得した３Ｇ基地局情報が記憶部６０に記憶されているハンドオーバ時の３Ｇ基地局情報と一致した場合、記憶部６０に対応付けて記憶されているＬＴＥ基地局情報に基づいて、ＬＴＥシステムを捕捉してＬＴＥシステムでの通信へ移行する。
【００４７】
また、第２の移行処理部３２は、３Ｇシステムでの通信が終了後、ＬＴＥシステムで中断されたデータ通信が３Ｇシステムで再開されずに所定時間が経過したとき、現在位置登録している基地局の３Ｇ基地局情報を取得する。そして、第２の移行処理部３２は、取得した３Ｇ基地局情報が記憶部６０に記憶されているハンドオーバ時の３Ｇ基地局情報と一致した場合、記憶部６０に対応付けて記憶されているＬＴＥ基地局情報に基づいて、ＬＴＥシステムを捕捉してＬＴＥシステムでの通信へ移行する。
【００４８】
図５は、本実施形態に係る携帯電話機１の制御部３０における処理を示すフローチャートである。
【００４９】
ステップＳ１において、制御部３０は、ユーザやアプリケーションからの要求に応じて、ＬＴＥシステムでデータ通信を開始する。
【００５０】
ステップＳ２において、制御部３０は、ＣＳ−Ｆａｌｌｂａｃｋ機能による着信通知を受けて３Ｇシステムへのハンドオーバが要求されたか否かを判定する。この判定がＹＥＳの場合、処理はステップＳ３に移り、判定がＮＯの場合、処理はステップＳ２を継続し、着信通知を待機する。
【００５１】
ステップＳ３において、制御部３０は、位置登録している基地局に関するＬＴＥ基地局情報を取得し、記憶部６０に保存する。
【００５２】
ステップＳ４において、制御部３０は、ＬＴＥシステムでのデータ通信を中断し、３Ｇシステムへハンドオーバする。
【００５３】
ステップＳ５において、制御部３０は、位置登録した基地局に関する３Ｇ基地局情報を取得し、記憶部６０に保存する。
【００５４】
ステップＳ６において、制御部３０は、３Ｇシステムで音声通信を開始し、通話が終了すると、３Ｇシステムでの通信待ち受け状態となる。
【００５５】
ステップＳ７において、制御部３０は、ＬＴＥシステムで中断したデータ通信を３Ｇシステムで再開するためのパケット着信があるか否かを判定する。この判定がＹＥＳの場合、処理はステップＳ８に移り、判定がＮＯの場合、つまり所定時間パケット着信がなければ、処理はステップＳ１２に移る。
【００５６】
ステップＳ８において、制御部３０は、３Ｇシステムへのハンドオーバ時から３Ｇ基地局情報に変化がないか否かを判定する。この判定がＹＥＳの場合、処理はステップＳ９に移り、判定がＮＯの場合、処理はステップＳ１１に移る。
【００５７】
ステップＳ９において、制御部３０は、ハンドオーバ時の３Ｇ基地局情報と対応付けて記憶部６０に記憶されているＬＴＥ基地局情報に基づいて、ＬＴＥシステムへハンドオーバする。
【００５８】
ステップＳ１０において、制御部３０は、ステップＳ７でパケット着信のあったデータ通信を、ＬＴＥシステムで再開する。
【００５９】
ステップＳ１１において、制御部３０は、記憶部６０に記憶されているＬＴＥ基地局情報を用いてＬＴＥシステムへハンドオーバすることができないので、３Ｇシステムでデータ通信を再開する。
【００６０】
ステップＳ１２において、制御部３０は、３Ｇシステムへのハンドオーバ時から３Ｇ基地局情報に変化がないか否か、つまり３Ｇシステム内で大きく移動（ハンドオーバ）していないかどうかを判定する。この判定がＹＥＳの場合、処理はステップＳ１３に移り、判定がＮＯの場合、処理はステップＳ１５に移る。
【００６１】
ステップＳ１３において、制御部３０は、ハンドオーバ時の３Ｇ基地局情報と対応付けて記憶部６０に記憶されているＬＴＥ基地局情報に基づいて、ＬＴＥシステムへハンドオーバする。
【００６２】
ステップＳ１４において、制御部３０は、３Ｇシステムよりも優先されるＬＴＥシステムでの通信に備えて、ＬＴＥシステムで通信待ち受け状態となる。
【００６３】
ステップＳ１５において、制御部３０は、３Ｇシステムよりも優先されるＬＴＥシステムに移行するために、ＬＴＥシステムをスキャンする。
【００６４】
ステップＳ１６において、制御部３０は、ＬＴＥシステムの捕捉に成功したか否かを判定する。この判定がＹＥＳの場合、処理はステップＳ１４に移り、判定がＮＯの場合、処理はステップＳ１７に移る。
【００６５】
ステップＳ１７において、制御部３０は、ＬＴＥシステムへ移行できなかったので、３Ｇシステムで通信待ち受け状態となる。
【００６６】
以上のように、本実施形態によれば、携帯電話機１は、ＬＴＥ基地局情報を記憶しておくことにより、３Ｇシステムでの通信終了後に、３Ｇシステムよりもデータ通信のスループットが高いＬＴＥシステムへ復帰できるので、適切な通信システムを選択できる。
このとき、携帯電話機１は、ＬＴＥシステムで位置登録する度に、すなわち基地局を遷移する度に最新のＬＴＥ基地局情報を記憶しておくので、３Ｇシステムへハンドオーバする際の処理負荷を低減できる。
【００６７】
また、携帯電話機１は、ＬＴＥシステムから３Ｇシステムへハンドオーバした際に、３Ｇ基地局情報を記憶しておく。したがって、携帯電話機１は、３Ｇシステムでの通信（例えば、音声通信）が終了したとき、３Ｇ基地局情報が変化していないことを条件に、記憶しておいたＬＴＥ基地局情報に基づいてＬＴＥシステムへ効率的に復帰できる。
【００６８】
また、携帯電話機１は、ＬＴＥシステムでデータ通信中にＣＳ−Ｆａｌｌｂａｃｋ機能により３Ｇシステムへハンドオーバした後、基地局を遷移していなければ、中断したデータ通信をＬＴＥシステムで再開できるので、スループットの低下を抑制できる。
【００６９】
さらに、携帯電話機１は、データ通信が再開されない場合であっても、基地局を遷移していなければ、３ＧシステムからＬＴＥシステムへ復帰できるので、この後のデータ通信の発生に備えて、適切な通信システムを選択できる。
【００７０】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７１】
前述の実施形態におけるＷ−ＣＤＭＡ方式、ＣＤＭＡ２０００＿１ｘ方式及びＬＴＥ方式は一例に過ぎず、他の通信プロトコルであってもよい。すなわち、一方がデータ通信専用の高速な通信方式、他方が音声通信とデータ通信との双方をサポートする通信方式であればよい。例えば、ＧＳＭ方式とワイヤレスＬＡＮ等であっても同様である。
【００７２】
また、本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００７３】
１  携帯電話機（無線端末装置）
１１  操作部
２１  表示部
３０  制御部
３１  第１の移行処理部
３２  第２の移行処理部
４０  通信部
４１  アンテナ
５０  音声制御部
６０  記憶部
【図１】
2012175643.tif 000003
【図２】
2012175643.tif 000004
【図３】
2012175643.tif 000005
【図４】
2012175643.tif 000006
【図５】
2012175643.tif 000007